(57)【要約】【課題】  屋外等の外部音が大きな場所でも受話音を明瞭に聴取することを可能にし、互いに折り畳み可能な２つの筐体を特殊な形状にする必要をなくし、しかも、２つの筐体を開いた状態において従来と同様の使い勝手で通話を可能にするだけでなく、２つの筐体を折り畳んだ状態のままでも通話を可能にして使い勝手を良くする。【解決手段】  携帯電話機１は、互いに折り畳み可能な第１及び第２の筐体２，３を備える。第１の筐体２には、それぞれ耳を当てて受話音を聴取可能な第１及び第２の受話用耳当て部５，６が設けられる。第１の受話用耳当て部５は、第１の筐体２の第２の筐体３に対向する側と反対側に配置される。第２の受話用耳当て部６は、第１の筐体２の第２の筐体３に対向する側に配置される。第１の受話用耳当て部５は、第２の受話用耳当て部６に比べて外音遮音性の高い構造を有する。【選択図】  図１
2005269067.tif 000002
【特許請求の範囲】
【請求項１】
互いに折り畳み可能な第１及び第２の筐体を備えた折り畳み式携帯電話機であって、
前記第１の筐体に設けられそれぞれ耳を当てて受話音を聴取可能な第１及び第２の受話用耳当て部を備え、
前記第１の受話用耳当て部は、前記第１の筐体の前記第２の筐体に対向する側と反対側に配置され、
前記第２の受話用耳当て部は、前記第１の筐体の前記第２の筐体に対向する側に配置され、
前記第１の受話用耳当て部は、前記第２の受話用耳当て部に比べて外音遮音性の高い構造を有することを特徴とする折り畳み式携帯電話機。
【請求項２】
前記第１の受話用耳当て部は、受話時に使用者の耳孔に連通する遮音空間となる凹部の周囲に位置して使用者の耳孔周辺部に当接する凸部を含み、受話音を導く開口部が前記凹部に開口したことを特徴とする請求項１記載の折り畳み式携帯電話機。
【請求項３】
前記凹部の面が略球面状の３次元曲面をなすことを特徴とする請求項２記載の折り畳み式携帯電話機。
【請求項４】
前記凹部の周縁の形状が略円形状又は略楕円形状であり、前記凹部の周縁の直径又は短軸の径が３５ｍｍから５５ｍｍの範囲であることを特徴とする請求項２又は３記載の折り畳み式携帯電話機。
【請求項５】
前記第２の筐体の一部が折り畳み時に前記第１の筐体からはみ出すはみ出し部となるように構成され、
前記はみ出し部の前記第１の筐体に対向する側に送話部が設けられたことを特徴とする請求項１乃至４のいずれかに記載の折り畳み式携帯電話機。
【請求項６】
前記第１の受話用耳当て部に対応して前記第１の筐体に設けられ受話音を発する第１の電気音響変換手段と、
前記第２の受話用耳当て部に対応して前記第１の筐体に設けられ受話音を発する第２の電気音響変換手段と、
前記第１及び第２の筐体が折り畳まれた状態では、前記第１及び第２の電気音響変換手段のうち前記第１の電気音響変換手段を選択的に有効にするとともに、前記第１及び第２の筐体が開かれた状態では、前記第１及び第２の電気音響変換手段のうち前記第２の電気音響変換手段を選択的に有効にする切替手段と、
を備えたことを特徴とする請求項１乃至５のいずれかに記載の折り畳み式携帯電話機。
【発明の詳細な説明】
【技術分野】
【０００１】
本発明は、互いに折り畳み可能な第１及び第２の筐体を備えた折り畳み式携帯電話機に関するものである。
【背景技術】
【０００２】
従来から、互いに折り畳み可能な第１及び第２の筐体を備えた折り畳み式携帯電話機が提供されている。この従来の折り畳み式携帯電話機では、耳を当てて受話音を聴取可能な受話用耳当て部が１つだけ前記第１の筐体に設けられ、前記第１の筐体の前記第２の筐体に対向する側に配置されている。また、前記第１の筐体の前記第２の筐体に対向する側には、電話番号やメール画面等を表示するための比較的大型の表示部（主表示部）が設けられている。一方、前記第２の筐体の前記第１の筐体に対向する側には、各種の操作ボタン等の操作部や送話部等が設けられている。また、前記第１の筐体の前記第２の筐体に対向する側と反対側には、時刻等を表示するための比較的小型の表示部（副表示部）が設けられることがある。
【０００３】
この従来の折り畳み式携帯電話機では、１つの受話用耳当て部が前述した位置に配置されているだけであるので、通話時には必ず第１及び第２の筐体を折り畳んだ状態から開いた状態にしなければならず、使い勝手が必ずしも良くなかった。
【０００４】
また、前述した従来の折り畳み式携帯電話機では、前記第１の筐体の前記第２の筐体に対向する側には、前記受話用耳当て部の他に比較的大型の主表示部が設けられているため、前記受話用耳当て部の配置スペースがほとんどない。このため、前記受話用耳当て部として外音遮音性の高い構造（例えば、比較的径の大きいリング状の凸部）を採用することができず、ほとんど平坦な筐体面に受話音を導く受話孔が形成され、当該受話孔の周囲のほとんど平坦な部分を前記受話用耳当て部として利用しているのが実状である。したがって、前記受話用耳当て部の外音遮音性は低く、屋外等の外部音が大きな場所では受話音を明瞭に聴取することが困難であった。
【０００５】
これに対し、前述したような折り畳み式携帯電話機において、前記第１の筐体の前記第２の筐体に対向する側に、受話孔及び表示部を囲むリング状の遮音部材を受話用耳当て部として設けることによって、受話時にこのリング状の遮音部材が使用者の耳介の周囲を覆って外部音を遮音する遮音空間部を構成するようにした折り畳み式携帯電話機が、提案されている（下記特許文献１）。この特許文献１に開示された折り畳み式携帯電話機によれば、リング状の遮音部材は、使用者の耳に当てがわれると、耳介の周囲を覆って外部音を遮音する遮音空間部を構成するため、屋外等の外部音が大きな場所でも受話音を明瞭に聴取することが可能となる。また、この折り畳み式携帯電話機によれば、リング状の遮音部材が表示部も囲んでいるので、表示部が遮音空間内に配設されることによって、限られた前記第１の筐体のスペースにより大きな表示部の搭載が可能となり、スペース効率の向上を図ることができる。
【特許文献１】特開平８−１４９１８９号公報
【発明の開示】
【発明が解決しようとする課題】
【０００６】
しかしながら、特許文献１に開示された折り畳み式携帯電話機では、折り畳み時にリング状の遮音部材の一部が前記第１及び第２の筐体との間に位置するので、特許文献１の図４及び図５に示されているように、前記第２の筐体の側面視の形状を前記第２の筐体がリング状の遮音部材の一部を乗り越えるような特殊な形状にしなければならず、それにより価格が上昇してしまう。
【０００７】
また、特許文献１に開示された折り畳み式携帯電話機では、スペース効率の向上を図ることができより大きな表示部の搭載が可能であるとはいえ、リング状の遮音部材を設けない場合に比べれば、前記第１の筐体の前記第２の筐体に対向する側に設ける表示部の大きさは、小さくならざるを得ない。
【０００８】
さらに、特許文献１に開示された折り畳み式携帯電話機においても、前述した従来の一般的な折り畳み式携帯電話機と同様に、１つの受話用耳当て部が前述した位置に配置されているだけであるので、通話時には必ず第１及び第２の筐体を折り畳んだ状態から開いた状態にしなければならず、使い勝手が必ずしも良くなかった。
【０００９】
本発明は、このような事情に鑑みてなされたもので、屋外等の外部音が大きな場所でも受話音を明瞭に聴取することが可能であるとともに、互いに折り畳み可能な２つの筐体を特殊な形状にする必要がなく、しかも、２つの筐体を開いた状態において従来と同様の使い勝手で通話が可能であるだけでなく、２つの筐体を折り畳んだ状態のままでも通話が可能で使い勝手の良い折り畳み式携帯電話機を提供することを目的とする。
【課題を解決するための手段】
【００１０】
前記課題を解決するため、本発明の第１の態様による折り畳み式携帯電話機は、互いに折り畳み可能な第１及び第２の筐体を備えた折り畳み式携帯電話機であって、前記第１の筐体に設けられそれぞれ耳を当てて受話音を聴取可能な第１及び第２の受話用耳当て部を備え、前記第１の受話用耳当て部は、前記第１の筐体の前記第２の筐体に対向する側と反対側に配置され、前記第２の受話用耳当て部は、前記第１の筐体の前記第２の筐体に対向する側に配置され、前記第１の受話用耳当て部は、前記第２の受話用耳当て部に比べて外音遮音性の高い構造を有するものである。
【００１１】
この第１の態様によれば、第１及び第２の受話用耳当て部が第１の筐体の前述した位置にそれぞれ配置されているので、使用者は、第１及び第２の筐体を開いた状態では第２の受話用耳当て部に耳を当てて受話音を聴取することができる一方、第１及び第２の筐体を折り畳んだ状態では第１の受話用耳当て部に耳を当てて受話音を聴取することができる。そして、第１の受話用耳当て部が第２の受話用耳当て部に比べて外音遮音性の高い構造を有するので、第１及び第２の筐体を折り畳んだ状態で第１の受話用耳当て部を用いることで、屋外等の外部音が大きな場所でも受話音をより明瞭に聴取することができる。このように、前記第１の態様によれば、屋外等の外部音が大きな場所でも受話音を明瞭に聴取することが可能であるとともに、２つの筐体を開いた状態において従来と同様の使い勝手で通話が可能であるだけでなく、２つの筐体を折り畳んだ状態のままでも通話が可能であるため使い勝手が向上する。
【００１２】
また、前記第１の態様によれば、第１の筐体の第２の筐体に対向する側と反対側に配置された第１の受話用耳当て部の方が、第１の筐体の第２の筐体に対向する側に配置された第２の受話用耳当て部に比べて外音遮音性の高い構造を有するので、例えば、第２の受話用耳当て部としてリング状の凸部のない平坦に近い構造を採用する一方、第１の受話用耳当て部としてリング状の凸部を有する構造を採用することが可能となる。したがって、第１の筐体の第２の筐体に対向する側に配置する表示部を小さくする必要がなくなり、また、特許文献１に開示された折り畳み式携帯電話機のように筐体の形状を特殊な形状にする必要がなくなって価格の上昇を抑えることができる。また、第１の筐体の第２の筐体に対向する側と反対側の面の方が第１の筐体の第２の筐体に対向する側の面に比べてスペースに余裕があるので、第１の受話用耳当て部の構造として第２の受話用耳当て部に比べて遮音性の高い構造を採用することは容易である。
【００１３】
本発明の第２の態様による折り畳み式携帯電話機は、前記第１の態様において、前記第１の受話用耳当て部は、受話時に使用者の耳孔に連通する遮音空間となる凹部の周囲に位置して使用者の耳孔周辺部に当接する凸部を含み、受話音を導く開口部が前記凹部に開口したものである。
【００１４】
この第２の態様は、第１の受話用耳当て部の遮音性の高い構造の例を挙げたものであるが、前記第１の態様では、前記第１の受話用耳当て部の構造はこの例に限定されるものではない。
【００１５】
本発明の第３の態様による折り畳み式携帯電話機は、前記第２の態様において、前記凹部の面が略球面状の３次元曲面をなすものである。
【００１６】
この第３の態様によれば、前記第１の受話用耳当て部における前記凹部の面が略球面状の３次元曲面をなすので、耳介形状の個人差に対し前記第１の受話用耳当て部の安定な耳当たり感を実現することができる。
【００１７】
本発明の第４の態様による折り畳み式携帯電話機は、前記第２又は第３の態様において、前記凹部の周縁の形状が略円形状又は略楕円形状であり、前記凹部の周縁の直径又は短軸の径が３５ｍｍから５５ｍｍの範囲であるものである。
【００１８】
この第４の態様のように、前記第１の受話用耳当て部において、凹部の周縁の直径又は短軸の径を３５ｍｍから５５ｍｍの範囲にすると、第１の受話用耳当て部における受話音の音質の向上と耳当たり感との両立を図るために、好ましい。凹部の周縁の直径又は短軸の径を４０ｍｍから５０ｍｍの範囲にするとより好ましく、略４５ｍｍにするとより一層好ましい。
【００１９】
本発明の第５の態様による折り畳み式携帯電話機は、前記第１乃至第４のいずれかの態様において、前記第２の筐体の一部が折り畳み時に前記第１の筐体からはみ出すはみ出し部となるように構成され、前記はみ出し部の前記第１の筐体に対向する側に送話部が設けられたものである。
【００２０】
この第５の態様によれば、前記第１及び第２の筐体を折り畳んだ状態でも開いた状態でも単一の送話部を用いて明瞭に通話することができるので、好ましい。もっとも、前記第１乃至第４の態様では、折り畳み時に使用する送話部と開いた時に使用する送話部とを別々に適宜の箇所に設けてもよい。
【００２１】
本発明の第６の態様による折り畳み式携帯電話機は、前記第１乃至第５のいずれかの態様において、前記第１の受話用耳当て部に対応して前記第１の筐体に設けられ受話音を発する第１の電気音響変換手段と、前記第２の受話用耳当て部に対応して前記第１の筐体に設けられ受話音を発する第２の電気音響変換手段と、前記第１及び第２の筐体が折り畳まれた状態では、前記第１及び第２の電気音響変換手段のうち前記第１の電気音響変換手段を選択的に有効にするとともに、前記第１及び第２の筐体が開かれた状態では、前記第１及び第２の電気音響変換手段のうち前記第２の電気音響変換手段を選択的に有効にする切替手段と、を備えたものである。
【００２２】
この第６の態様によれば、第１の受話用耳当て部用の電気音響変換手段と第２の受話用耳当て部用の電気音響変換手段とを別々に設けた場合において、切替手段によって、第１及び第２の筐体が折り畳み状態か開いた状態かによって、いずれか一方の電気音響変換手段のみが選択的に有効にされるので、両方の電気音響変換手段を同時に駆動する場合に比べて消費電力を低減することができ、好ましい。もっとも、前記第１乃至第５の態様では、１つの電気音響変換手段を第１の受話用耳当て部用及び第２の受話用耳当て部用として兼用してもよいし、両者を別々にする場合においても、前記切替手段を設けずに、両方の電気音響変換手段を同時に駆動してもよい。
【００２３】
なお、本明細書においては、前記第１乃至第５の態様において前記第２の受話用耳当て部を除去した折り畳み式携帯電話機も、開示する。
【発明の効果】
【００２４】
本発明によれば、屋外等の外部音が大きな場所でも受話音を明瞭に聴取することが可能であるとともに、互いに折り畳み可能な２つの筐体を特殊な形状にする必要がなく、しかも、２つの筐体を開いた状態において従来と同様の使い勝手で通話が可能であるだけでなく、２つの筐体を折り畳んだ状態のままでも通話が可能で使い勝手の良い折り畳み式携帯電話機を提供することができる。
【発明を実施するための最良の形態】
【００２５】
以下、本発明による折り畳み式携帯電話機について、図面を参照して説明する。
【００２６】
図１は、本発明の一実施の形態による折り畳み式携帯電話機１の折り畳まれた状態を示す概略斜視図である。図２は、図１に示す折り畳み式携帯電話機１の開かれた状態を示す概略斜視図である。
【００２７】
本実施の形態による折り畳み式携帯電話機１は、第１及び第２の筐体２，３を備えている。これらの筐体２，３は、ヒンジ４により結合されることによって、互いに折り畳み可能となっている。本実施の形態では、第２の筐体３のヒンジ４からの長さが第１の筐体２のヒンジ４からの長さより長くされることで、第２の筐体３の一部が、折り畳み時に第１の筐体２からはみ出すはみ出し部３ａとなっている。
【００２８】
第１の筐体２には、それぞれ使用者が耳を当てて受話音を聴取可能な第１及び第２の受話用耳当て部５，６が設けられている。第１の受話用耳当て部５は、図１に示すように、第１の筐体２の第２の筐体３に対向する側と反対側に配置されている。第２の受話用耳当て部６は、図２に示すように、第１の筐体２の第２の筐体３に対向する側に配置されている。第１の受話用耳当て部５は、第２の受話用耳当て部６に比べて外音遮音性の高い構造を有している。第１及び第２の筐体２，３の具体的な構造については後述する。
【００２９】
本実施の形態では、第１の受話用耳当て部５は、図１に示すように、第１の筐体２の第２の筐体３に対向する側の面上に接合された耳当て部材７を有している。図３は耳当て部材７を示す図であり、図３（ａ）は正面図、図３（ｂ）は図３（ａ）中のＡ−Ａ’矢視図、図３（ｃ）は背面図である。
【００３０】
耳当て部材７は、ポリカーボネート又はその他の透明樹脂で構成され、図３に示すように、平面視で概略円形形状を有する厚板を抉って後述する凹部７ａを設けたような形態に構成されている。耳当て部材７は、筐体２に接着剤等により接合することで、筐体２に設けられている。耳当て部材７の表面側には、受話時に使用者の耳孔に連通する遮音空間を形成する凹部７ａが形成されている。耳当て部材７における凹部７ａの周囲のリング状の凸部７ｂが、使用者の耳孔周辺部に当接する当接部となる。本実施の形態では、凹部７ａの面は略球面状の３次元曲面を形成している。本実施の形態では、凹部７ａの周縁の形状は、円形に近い楕円形状となっている。本発明では、凹部７ａの周縁の形状は、略円形状でもよいし、略楕円形状でもよいし、長穴形状でもよいし、その他の形状（例えば、矩形形状）でもよい。受話音の音質の向上と耳当たり感との両立を図るために、凹部７ａ周縁の直径又は短軸の径は、３５ｍｍから５５ｍｍの範囲であることが好ましく、４０ｍｍから５０ｍｍの範囲であることがより好ましく、略４５ｍｍであることがより一層好ましい。また、受話時に使用者の耳介の突起部に対して過大な押圧力が加わらないようにするため、凹部７ａにおける中心領域付近の深さは３ｍｍ以上であることが好ましい。
【００３１】
図１には示していないが、受話音を発する第１の電気音響変換手段としての受話スピーカ８（後述する図４を参照）が、第１の受話用耳当て部５に対応して、第１の筐体２内の耳当て部材７の下側位置に設けられている。耳当て部材７には、凹部７ａにおいて開口し受話スピーカ８からの音を前記遮音空間に導く開口部７ｃが形成されている。本実施の形態では、この開口部７ｃは、受話スピーカ８に対向する位置に、スリット状に３個形成されている。もっとも、開口部７ｃの数や形状は何ら限定されるものではない。なお、図面には示していないが、筐体２には、耳当て部材７の開口部７ｃに対応する位置に開口又は孔が形成されている。
【００３２】
本実施の形態では、第１の受話用耳当て部５は、以上説明したような構造を有しているので、外音遮音性が高い。
【００３３】
本実施の形態では、第１の筐体２の第２の筐体３に対向する側には、時刻等を表示する副表示部９が設けられている。この副表示部９は耳当て部材７と重なる位置に配置され、副表示部９の表示が透明樹脂からなる耳当て部材７を介して視認されるようになっている。もっとも、副表示部９は、耳当て部材７と重ならない位置に配置してもよいし、必ずしも設けなくてもよい。これらの場合は、耳当て部材７は不透明の樹脂等で構成してもよい。また、耳当て部材７は、第１の筐体２の一部として第１の筐体２と一体に形成することも可能である。
【００３４】
本実施の形態では、第２の受話用耳当て部６は、図２に示すように、第２の筐体３に形成された凹部６ａを含んでいる。この凹部６ａは、第１の受話用耳当て部５の耳当て部材７の凹部５ａに比べて、大きさも深さもはるかに小さい。図２には示していないが、受話音を発する第２の電気音響変換手段としての受話スピーカ１０（後述する図４を参照）が、第２の受話用耳当て部６に対応して、第１の筐体２内において凹部６ａの下側位置に設けられている。第１の筐体２には、凹部６ａにおいて外部に開口し受話スピーカ１０からの音を導く開口部６ｂが形成されている。このような第２の受話用耳当て部６の構造は、前述した従来の一般的な折り畳み式携帯電話機で採用されている受話用耳当て部の構造と同様であり、外音遮音性はほとんど得られない。
【００３５】
図２に示すように、第１の筐体２の第２の筐体３に対向する側には、電話番号やメール画面等を表示するための比較的大型の主表示部１１が設けられている。第２の受話用耳当て部６が前述した構造を有しているので、主表示部１１を大きくすることが可能となっている。
【００３６】
図１及び図２に示すように、第２の筐体３のはみ出し部３ａの第１の筐体２に対向する側には、送話部１２が設けられている。送話部１２は、第２の筐体３に形成された小さな凹部１２ａと、第２の筐体３内において凹部１２ａの下側に配置されたマイクロホン１３（図２では図示せず、図４参照）と、凹部１２ａにおいて外部に開口し使用者の送話音をマイクロホン１３に導く開口部１２ｂとを、有している。また、第２の筐体３のはみ出し部３ａの第１の筐体２に対向する側には、着呼時に通話を開始したり発呼時に発呼を開始する操作ボタン１４及び通話を終了する操作ボタン１５も設けられている。さらに、図２に示すように、第２の筐体３の第１の筐体２に対向する側には、折り畳み時に第１の筐体２と重なる領域において、電話番号等の数字を入力したり文字等を入力したりする各種の操作ボタン１６が設けられている。
図４は、折り畳み式携帯電話機１に搭載されている電気回路のうち受話スピーカ８，９，１３に関連する電気回路を示す回路図である。図４において、１７は送受信器、１８は送受信器１７からの受話音信号を増幅するアンプ、１９は第１及び第２の筐体２，３が折り畳まれた状態であるか開かれた状態であるかに応じて作動する切替手段としての切替スイッチである。切替スイッチ１９は、図示しない周知の検出手段（第１及び第２の筐体２，３が折り畳まれた状態であるか開かれた状態であるかを検出する検出手段）による検出状態に従って、第１及び第２の筐体２，３が図１に示すように折り畳まれた状態では、アンプ１８の出力を第１の受話用耳当て部５に対応して設けられた受話スピーカ８に選択的に供給し、第１及び第２の筐体２，３が図２に示すように開かれた状態では、アンプ１８の出力を第２の受話用耳当て部６に対応して設けられた受話スピーカ１０に選択的に供給し、受話スピーカ８，１０の一方を選択的に有効にする。
【００３７】
なお、図１において、２０はアンテナである。
【００３８】
本実施の形態による折り畳み式携帯電話機１では、図１に示すように第１及び第２の筐体２，３が折り畳まれた状態において、着呼されたときに操作ボタン１４を押すと、第１の受話用耳当て部５に対応する受話スピーカ８が切替スイッチ１９により選択的に有効にされていることから、使用者は、第１の受話用耳当て部５に耳を当てることで、受話音を聴取しつつ通話することができる。この状態で通話を終了するには、第１及び第２の筐体２，３が折り畳まれた状態のまま、操作ボタン１５を押せばよい。したがって、不意の着呼時や専ら着呼のみを利用する使用者にとっては、いちいち第１及び第２の筐体２，３を開くことなく通話することができ、使い勝手が著しく良くなる。このとき、第１の受話用耳当て部５が第２の受話用耳当て部６に比べて外音遮音性の高い構造を有しているので、屋外等の外部音が大きな場所でも受話音を明瞭に聴取することが可能となる。
【００３９】
また、本実施の形態による折り畳み式携帯電話機１では、発呼する場合には、図２に示すように第１及び第２の筐体２，３が開かれた状態において、操作ボタン１６等を押して相手先の電話番号を入力したりリスト等から選択したりした後に操作ボタン１４を押すと発呼される。そして、第１及び第２の筐体２，３が開かれた状態のまま使用する場合は、第２の受話用耳当て部６に対応する受話スピーカ１０が切替スイッチ１９により選択的に有効にされているので、使用者は第２の受話用耳当て部６に耳を当てることで、通話を行うことができる。したがって、本実施の形態によれば、従来の折り畳み式携帯電話機と同様の使い勝手で、折り畳み式携帯電話機１の発呼による通話を行うことができる。一方、操作ボタン１４を押して発呼が開始された後に第１及び第２の筐体２，３を折り畳む（相手先の電話番号を入力したり選択した後であれば、操作ボタン１４を押す前に第１及び第２の筐体２，３を折り畳んでもよい。）と、第１の受話用耳当て部５に対応する受話スピーカ８が切替スイッチ１９により選択的に有効にされ、使用者は第１の受話用耳当て部５に耳を当てることで、通話を行うことができる。このとき、第１及び第２の筐体２，３を開いた状態から折り畳まれた状態にする必要はあるものの、第１の受話用耳当て部５が第２の受話用耳当て部６に比べて外音遮音性の高い構造を有しているので、屋外等の外部音が大きな場所でも受話音を明瞭に聴取することが可能となる。なお、発呼による通話を終了する場合にも、第１及び第２の筐体２，３が開かれているか折り畳まれているかに拘わらず、操作ボタン１５を押せばよい。
【００４０】
このように、本実施の形態によれば、屋外等の外部音が大きな場所でも受話音を明瞭に聴取することが可能であるとともに、２つの筐体２，３を開いた状態において従来と同様の使い勝手で通話が可能であるだけでなく、２つの筐体２，３を折り畳んだ状態のままでも通話が可能であるため使い勝手が向上する。
【００４１】
また、本実施の形態によれば、第２の受話用耳当て部６として前述したように従来の一般的な折り畳み式携帯電話機の受話用耳当て部と同様の構造が採用され、第２の受話用耳当て部６としてリング状の凸部のない平坦に近い構造が採用されているので、主表示部１１を小さくする必要がなくなり、また、特許文献１に開示された折り畳み式携帯電話機のように筐体２，３の形状を特殊な形状にする必要がなくなって価格の上昇を抑えることができる。また、第１の筐体２の第２の筐体３に対向する側と反対側の面の方が第１の筐体２の第２の筐体３に対向する側の面に比べてスペースに余裕があるので、第１の受話用耳当て部５の構造として第２の受話用耳当て部６に比べて遮音性の高い構造を採用することが容易となっている。
【００４２】
また、本実施の形態によれば、第１の受話用耳当て部５において耳当て部材７の凹部７ａの面が略球面状の３次元曲面をなしているので、耳介形状の個人差に対し第１の受話用耳当て部５の安定な耳当たり感を実現することができる。もっとも、本発明では、凹部７ａの面の形状は、この形状に限定されるものではなく、例えば、平面からなる底面を有する円筒面としてもよい。
【００４３】
さらに、本実施の形態によれば、送話部１２が第２の筐体３のはみ出し部３ａの第１の筐体２に対向する側に設けられているので、第１及び第２の筐体２，３を折り畳んだ状態でも開いた状態でも単一の送話部１２を用いて明瞭に通話することができる。もっとも、本発明では、折り畳み時に使用する送話部と開いた時に使用する送話部とを別々に適宜の箇所に設けてもよい。
【００４４】
さらにまた、本実施の形態によれば、第１の受話用耳当て部５用の受話スピーカ８と第２の受話用耳当て部６用の電気音響変換手段１０とが別々に設けられているが、切替スイッチ１９によって、第１及び第２の筐体２，３が折り畳み状態か開いた状態かによって、いずれか一方の受話スピーカのみが選択的に有効にされるので、両方の受話スピーカ８，１０を同時に駆動する場合に比べて消費電力を低減することができる。もっとも、本発明では、１つの受話スピーカを第１の受話用耳当て部５用及び第２の受話用耳当て部６用として兼用してもよいし、両者を別々にする場合においても、切替スイッチ１９を設けずに、両方の受話スピーカ８，１０を同時に駆動してもよい。前者の場合、例えば、第１及び第２の受話用耳当て部５，６を互いに重なる位置に配置し、単一の受話スピーカとして単一の振動板を前と後で使用するスピーカを用いればよい。
【００４５】
以上、本発明の一実施の形態について説明したが、本発明はこれに限定されるものではない。
【００４６】
例えば、本発明では、第１の受話用耳当て部５の構造は、第２の受話用耳当て部６に比べて外音遮音性の高い構造であれば良く、前述した構造に限定されるものではない。本発明では、前記第１の受話用耳当て部５の構造として、例えば、特開２００２−８４３５２号公報に開示されているような構造（先端に受話孔を有し受話時に使用者の耳孔部に押し当てられる膨出部）を採用してもよい。
【００４７】
なお、前述した折り畳み式携帯電話機１において、第２の受話用耳当て部６を除去してもよい。この場合、第１及び第２の筐体２，３を開いた状態では通話を行うことができなくなるが、この点以外については、前述した実施の形態と同様の利点が得られる。
【図面の簡単な説明】
【００４８】
【図１】本発明の一実施の形態による折り畳み式携帯電話機の折り畳まれた状態を示す概略斜視図である。
【図２】図１に示す折り畳み式携帯電話機の開かれた状態を示す概略斜視図である。
【図３】図１中の耳当て部材を示す図である。
【図４】図１に示す折り畳み式携帯電話機に搭載されている電気回路の一部を示す回路図である。
【符号の説明】
【００４９】
１  携帯電話機
２  第１の筐体
３  第２の筐体
３ａ  はみ出し部
４  ヒンジ
５  第１の受話用耳当て部
６  第２の受話用耳当て部
７  耳当て部材
７ａ  凹部
７ｂ  凸部
７ｃ  開口部
８，１０  受話スピーカ
９  副表示部
１１  主表示部
１２  送話部
【図１】
2005269067.tif 000003
【図２】
2005269067.tif 000004
【図３】
2005269067.tif 000005
【図４】
2005269067.tif 000006